(57)【要約】【課題】櫛付き容器における容器体の密閉を達成する中栓体の取扱い性、および有効機能性を高め、もって速やかにかつ簡単にそして安全に使用することができ、また適正な使用手順を安定して得ることができるようにする。【解決手段】スクイズ性を有する容器体１７と、容器体１７を密閉する中栓体３１と、容器体１７の口筒部１９に組付く櫛付きキャップ体１から成り、中栓体３１を、口筒部１９の上端に係止する係止段部３３を嵌入筒片３２の周端縁に周設し、口筒部１９に中栓体３１を密嵌入したまま、櫛付きキャップ体１の螺合組付きの邪魔とならない指掛け用突片３４を係止段部３３に突出設し、嵌入筒片３２の内側に、注意を促す表示を上面に施した頂壁部３６を有する内筒壁３７を起立設して構成し、中栓体３１の取り外しを容易にすると共に、露出する表示により、誤操作の発生防止を効果的に促す。【選択図】              図２
2004196405.tif 000002
【特許請求の範囲】
【請求項１】
スクイズ性を有する容器体(17)と、該容器体(17)の口筒部(19)内に密嵌入する嵌入筒片(32)を有し、前記容器体(17)の内容液の漏出を防ぐ中栓体(31)と、該中栓体(31)を外して、前記口筒部(19)に密に内嵌するシール筒片(5)および前記口筒部(19)に螺合組付き可能な組付き筒(3)を有し、該組付き筒(3)の上端に、内鍔状の頂壁(4)を介して起立筒(7)を立設し、該起立筒(7)の上端を塞ぐ頂板(8)の上面に複数の櫛歯片(13)を並列に整列して立設し、前記櫛歯片(13)には側面に開口する注出口(16)を貫設すると共に、該注出口(16)から前記頂板(8)の下面まで注出路(15)を貫通形成した櫛付きキャップ体(1)とから成り、前記中栓体(31)を、前記嵌入筒片(32)の周端縁に、前記口筒部(19)の上端に係止する係止段部(33)を周設し、前記口筒部(19)に前記中栓体(31)を密嵌入したまま、前記櫛付きキャップ体(1)の螺合組付きの邪魔とならない指掛け用突片(34)を前記係止段部(33)に突出設し、前記嵌入筒片(32)の内側に、注意を促す表示を上面に施した頂壁部(36)を有する内筒壁(37)を起立設して構成した櫛付き容器。
【請求項２】
頂壁部(36)を、嵌入筒片(32)内から上方に突出位置させた請求項１記載の櫛付き容器。
【請求項３】
櫛付きキャップ体(1)を、組付き筒(3)の上端に、頂壁(4)を介して起立筒(7)を立設し、該起立筒(7)の頂板(8)に、板厚方向に貫通した複数の組付け孔(9)を、左右方向に沿って直列配置したキャップ本体(2)と、前記頂板(8)上に載置するベース板(12)の下面に、前記各組付け孔(9)に個々に強固に密嵌入する嵌着筒片(14)を垂下設すると共に、該各嵌着筒片(14)の直上となる前記ベース板(12)上面箇所に櫛歯片(13)を起立設し、該櫛歯片(13)と嵌着筒片(14)との各組み合わせ部分内に、前記櫛歯片(13)の上端部から嵌着筒片(14)の下端面にかけて、前記櫛歯片(13)の左右側面に注出口(16)を開口した注出路(15)を形成した櫛歯体(11)とを組付き固定した構成とした、請求項１または２記載の櫛付き容器。
【請求項４】
キャップ体(2)の頂板(8)を、起立筒(7)の上端に、左右方向に傾斜させて形成し、櫛歯体(11)を組み付け固定した状態で、櫛歯片(13)が斜めに傾斜した姿勢となるように構成した、請求項３記載の櫛付き容器。
【請求項５】
中栓体(31)の嵌入筒片(32)の内周に内鍔片(35)を設け、該内鍔片(35)を介して、内筒壁(37)を起立設した、請求項１、２、３または４記載の櫛付き容器。
【発明の詳細な説明】
【０００１】
【発明の属する技術分野】
本発明は、容器体に収納された白髪染め液やヘアマニキュア等の内容液を、容器体から頭髪に直接塗布すべく構成した櫛付き容器に関するものである。
【０００２】
【従来の技術】
スクイズ性を有する容器体にキャップとして組付けられ、容器体の白髪染め液やヘアマニキュア等の内容液を直接頭髪に塗布することができるようにした櫛付きキャップを有し、この櫛付きキャップが組付き、第一の溶液を収納した第一の容器体に、第二の容器体に収納された第二の溶液を注入し、この両溶液を第一の容器体内で撹拌混合して、白髪染め液やヘアマニキュアとし、この撹拌混合して作成した内容液を、そのまま櫛付きキャップにより頭髪に塗布する櫛付く容器が知られている。
【０００３】
この従来技術は（図９参照）、キャップ本体２’に、容器体１７’の軸心に沿って起立した複数の櫛歯片１３’を、横に一列に配置し、この櫛歯片１３’内に、上端を注出口１６’として櫛歯片１３’間に開口すると共に、下端を下方に開放した注出路１５’を形成して構成され、櫛歯片１３’を下位に位置させた姿勢で、容器体１７’をスクイズ変形させることにより、注出路１５’を通して櫛歯片１３’間に内容液を注出し、この内容液を櫛歯片１３’を利用して頭髪に塗布するようにしている。
【０００４】
そして、容器体１７’の密閉は、口筒部１９’への嵌入限を設定する突き当たり鍔片を有する、単純な有底短円筒形状をした中栓体３１’で達成しており、この中栓体３１’は、両溶液を容器体１７’内で撹拌混合する際の密封栓としても用いるものとなっている（例えば、特許文献１参照）。
【０００５】
【特許文献１】
特開平１０−１３７０２９号公報
【０００６】
【発明が解決しようとする課題】
しかしながら、上記した従来技術にあっては、中栓体３１’の使用手法、すなわち中栓体３１’を容器体１７’の密閉保持だけではなく、両溶液を撹拌混合する際の密封栓としても使用するものであることを、櫛付き容器の包装体にしか表示することができず、このため不注意により、この表示を見過ごして、中栓体３１’無しのまま、櫛付きキャップを付けただけで、両溶液を撹拌混合すべく容器体１７’を振ると、内容液が各櫛歯片１３’の注出口１６’から飛散して、周囲を汚す場合がある、と云う問題があった。
【０００７】
そこで、本発明は、上記した従来技術における問題点を解消すべく創案されたもので、櫛付き容器における容器体の密閉を達成する中栓体の取扱い性、および有効機能性を高めることを技術的課題とし、もって速やかにかつ簡単にそして安全に使用することができ、また適正な使用手順を安定して得ることができるようにすることを目的とする。
【０００８】
【課題を解決するための手段】
上記技術的課題を解決する本発明の内、請求項１記載の発明の手段は、
櫛付き容器であること、
スクイズ性を有する容器体と、この容器体の口筒部内に密嵌入する嵌入筒片を有し、容器体の内容液の漏出を防ぐ中栓体と、この中栓体を外して、容器体の口筒部に密に内嵌するシール筒片および、容器体の口筒部に螺合組付き可能な組付き筒を有し、この組付き筒の上端に、内鍔状の頂壁を介して起立筒を立設し、この起立筒の上端を塞ぐ頂板の上面に複数の櫛歯片を並列に整列して立設し、櫛歯片には側面に開口する注出口を貫設すると共に、この注出口から頂板の下面まで注出路を貫通形成した櫛付きキャップ体と、から成ること、
中栓体を、容器体の口筒部の上端に係止する係止段部を嵌入筒片の周端縁に周設し、容器体の口筒部に中栓体を密嵌入したまま、櫛付きキャップ体の螺合組付きの邪魔とならない指掛け用突片を係止段部に突出設し、中栓体の嵌入筒片の内側に、注意を促す表示を上面に施した頂壁部を有する内筒壁を起立設した構成としたこと、
にある。
【０００９】
請求項１記載の上記構成により、容器を保管する際、主に使用前の二液を混合する前においては、中栓体が容器体を密閉し、容器体の内容液である一液が外部に漏出することはない。
【００１０】
櫛付きキャップ体は、容器体の口筒部に内嵌した中栓体が邪魔とならず、この中栓体を内嵌したままの状態で、容器体の口筒部に螺合組付きが可能となっているため、櫛付きキャップ体を別部品として包装する必要がなく、容器体および櫛付きキャップを一体としてコンパクトに取り扱うことができ、製品の箱詰め、輸送、および陳列等を効率良く実施することができる。
【００１１】
例えば、指掛け用突片を、櫛付きキャップ体の組付き筒の内周面に非接触の高さで突出設することにより、容器体の口筒部に中栓体を内嵌したままの状態で、中栓体が邪魔とならずに、櫛付きキャップ体を容器体の口筒部へ螺合組付けすることができる。
【００１２】
二液を混合する際には、櫛付きキャップ体を取り外し、中栓体に設けた指掛け用突片を手掛かりとして、中栓体に上方への押上げ力を作用させ、内容液で手指等を汚すことなく、容易に中栓体を取り外して、二液を混合することができる。
【００１３】
また、櫛付きキャップ体を取り外すと、露出して目に付き易い状態となった内筒壁の頂壁部上面に、注意を促す表示が施されているため、この注意表示を読んだ使用者が、二液を混合する操作手順を誤ることなく、注意表示にしたがって容易かつ確実な混合操作を行うことができる。
【００１４】
二液の混合は、開放された容器体内に他の１液を注入した後、容器体を中栓体で密封し、この中栓体による容器体の密封を確保しながら、容器体を振ることにより達成される。
【００１５】
二液混合後、容器を使用する際には、中栓体を取外してから、櫛付きキャップ体を容器体の口筒部に密に螺合組付けして使用する。
【００１６】
櫛付きキャップ体を、容器体の口筒部に密に螺合組付けした状態で、容器体をスクイズすると注出される内容液は起立筒が形成する液溜まり部分を通って、各櫛歯片の注出路下端部に均等に、かつ円滑に分配され、注出路を流動し注出口から櫛歯片の外周面にむらなく注出される。
【００１７】
中栓体を容器体の口筒部から外して使用する際には、櫛付きキャップ体のシール筒片が容器体の口筒部に密に内嵌するため、二液混合後の内容液が、周囲に漏出することはなく、容器体をスクイズして櫛歯片から頭髪の塗布操作を容易に行うことができる。
【００１８】
請求項２記載の発明は、請求項１記載の発明の手段に、頂壁部を、嵌入筒片内から上方に突出位置させたこと、を加えたものである。
【００１９】
この請求項２記載の発明にあっては、内筒壁の頂壁部が嵌入筒片内から上方に突出位置しているので、露出した頂壁部の上面がさらに目に付き易くなり、その分、この頂壁部の上面に施された注意を促す表示を、使用者に、より確実に視認させることになる。
【００２０】
請求項３記載の発明は、請求項１または２記載の発明の手段に、櫛付きキャップ体を、組付き筒の上端に、頂壁を介して起立筒を立設し、この起立筒の頂板に、板厚方向に貫通した複数の組付け孔を、左右方向に沿って直列配置したキャップ本体と、頂板上に載置するベース板の下面に、各組付け孔に個々に強固に密嵌入する嵌着筒片を垂下設すると共に、この各嵌着筒片の直上となるベース板上面箇所に櫛歯片を起立設し、この櫛歯片と嵌着筒片との各組み合わせ部分内に、櫛歯片の上端部から嵌着筒片の下端面にかけて、櫛歯片の左右側面に注出口を開口した注出路を形成した櫛歯体とを、組付き固定した構成としたこと、を加えたものである。
【００２１】
この請求項３記載の上記構成により、櫛付きキャップ体を、キャップ本体と櫛歯体の二つの部材から構成するので、櫛歯片に注出路を形成する等の複雑な形状を有した部材の成形を容易に達成することができ、また櫛歯体をキャップ本体に組付き固定した状態で、櫛歯体を上方だけでなく斜めに傾斜した姿勢とすることもできる。
【００２２】
請求項４記載の発明は、請求項３記載の発明の手段に、キャップ体の頂板を、起立筒の上端に、左右方向に傾斜させて形成し、櫛歯体を組み付け固定した状態で、櫛歯片が斜めに傾斜した姿勢となるように構成したこと、を加えたものである。
【００２３】
この請求項４記載の上記構成により、櫛の柄としての機能を果たす容器体を、頭面に対して垂直な方向から倒した姿勢で掴持することができ、頭髪への塗布操作を楽に実施することができる。
【００２４】
請求項５記載の発明は、請求項１、２、３または４記載の発明の手段に、中栓体の嵌入筒片の内周に内鍔片を設け、この内鍔片を介して、内筒壁を起立設したこと、を加えたものである。
【００２５】
この請求項５記載の上記構成により、中栓体の嵌入筒片の内周に内鍔片を介して内筒壁を連設したので、嵌入筒片の自己形状保持力が高められ、これにより中栓体の口筒部に対する液密な嵌入組付きを強固に自己保持する。
【００２６】
【発明の実施の形態】
以下、本発明の実施の形態を、図面を参照しながら説明する。
図１〜図５は本願発明の櫛付き容器の第１実施例を示すものであり、本第１実施例の櫛付き容器は、スクイズ性を有する円筒状の胴部１８の上端に口筒部１９を立設して構成した容器体１７と、この容器体１７の口筒部１９に起立姿勢で螺合組付きする櫛付きキャップ体１と、から構成されている。
【００２７】
容器体１７の口筒部１９には、櫛付きキャップ体１が螺合組付きした状態で、この櫛付きキャップ体１の螺合組付きの邪魔とならない中栓体３１が嵌着されている（図２参照）。
【００２８】
中栓体３１は、嵌入筒片３２が口筒部１９に密に内嵌するとともに、嵌入筒片３２の周端縁から周設された係止段部３３が口筒部１９の上端に係止し、容器体１７の口筒部１９に対する組付きを液密に達成している。
【００２９】
中栓体３１の係止段部３３には、起立壁３４ａが周設され、口筒部１９に中栓体３１を密嵌入したまま、櫛付きキャップ体１の螺合組付きの邪魔とならない指掛け用突片３４が起立壁３４ａの上端に突出設され、この指掛け用突片３４を手掛かりとして、中栓体３１の脱着を容易かつ確実なものとしている。
【００３０】
指掛け用突片３４は、起立壁３４ａを介して突出設されているため、口筒部１９の上端と指掛け用突片３４との間の隙間により、中栓体３１を取り外す際に、指掛け用突片３４に指先等がかかり易くなっており、手指等に内容液が付着し難くなっている（図２、図４参照）。
【００３１】
中栓体３１の嵌入筒片３２の内周域には、内鍔片３５を設け、この内鍔片３５を介して、頂壁部３６の上面を使用者が視認しやすい位置となるまで、この頂壁部３６を有する内筒壁３７を起立設している（図４参照）。
【００３２】
突起状に起立設した内筒壁３７の頂壁部３６には、二液の混合操作手順等の注意表示を施し、二液混合操作をするために、櫛付きキャップ体１を取り外した際に、頂壁部３６に施した注意表示を明確に認識できるようにする（図３参照）。
【００３３】
なお、頂壁部３６に施す注意表示は、頂壁部３６の平面に直接印刷してもよいし、注意表示をラベル等に記載し、このラベルを頂壁部３６に貼付してもよい。
【００３４】
嵌入筒片３２を口筒部１９に内嵌すると、嵌入筒片３２は、内鍔片３５と内筒壁３７によって、自己形状保持力が高められているので、必要以上に弾性変形することがなく、これにより口筒部１９に対する中栓体３１の液密な組付きが強固に達成維持されることになる。
【００３５】
櫛付きキャップ体１は、キャップ本体２と櫛歯体１１の２つの部材から構成され、容器の使用前は、中栓体３１の起立壁３４ａ内に、キャップ本体２のシール筒片５が挿入位置し、キャップ本体２の円筒状の組付き筒３を容器体１７の口筒部１９に途中まで螺合組付きした状態で、口筒部１９の上方に位置する（図２、図５参照）。
【００３６】
櫛付きキャップ体１は、中栓体３１が組付いているときは、口筒部１９に途中まで螺合した状態であるため、容器の使用前であることが明確となり、二液混合前の容器の誤使用を防止する構成となっている（図２参照）。
【００３７】
キャップ本体２の組付き筒３の上端に内鍔状に連設された頂壁４の下面には、容器体１７の口筒部１９開口部に密嵌入する短円筒状のシール筒片５と、口筒部１９上端面に密に弾接するシール条６とを設けることにより、使用時に櫛付きキャップ体１の口筒部１９に対する組付きを液密に達成できるようにしている（図６参照）。
【００３８】
キャップ本体２の、前後に扁平となった起立筒７の上端を塞いだ平板状の頂板８は、櫛歯体１１を強固にかつ安定して組付け保持するのに充分な強度を発揮できる肉厚で成形され、またこの頂板８の上面を、平坦面とすることにより櫛歯体１１の組付き姿勢を安定に保持する。
【００３９】
頂板８の上面を、右上から左下に傾斜して形成し、本実施例ではこの頂板８の左右両端部分に枠櫛歯片１０を立設した構成としているが、この枠櫛歯片１０と櫛歯片１３が斜めに傾斜した姿勢となり、頭髪等への塗布操作を楽に実施できるようにしており、さらにこの頂板８には複数個の組付け孔９が一列状に形成されている（図２、図６参照）。
【００４０】
櫛歯体１１のベース板１２は、その下面を平坦面とし、この平坦面から直角に各嵌着筒片１４を設けているので、頂板８に形成した組付け孔９に対する嵌着筒片１４の密嵌入により、キャップ本体２に対する櫛歯体１１の組付き固定姿勢を安定して不動なものとしている。
【００４１】
各櫛歯片１３には上端部左右側面に注出口１６を開口した注出路１５が形成されており、使用時、容器体１をスクイズすると内容液は起立筒７が形成する液溜まり部分を通って、各櫛歯片１３の注出路１５下端部に均等に、かつ円滑に分配され、注出路１５を流動し注出口１６から櫛歯片１３の外周面にむらなく注出される。
【００４２】
次に、図１乃至図５に示す容器の使用態様について説明する。
容器の使用前の状態では、口筒部１９に中栓体３１を液密に内嵌したまま、この中栓体３１が邪魔とならずに、櫛付きキャップ体１の口筒部１９への螺合組付きが可能となっているため、櫛付きキャップ体１を別部品として包装する必要がなく、容器体１７および櫛付きキャップ体１を一体としてコンパクトに取り扱うことができ、製品の箱詰め、輸送、および陳列等を効率良く実施することができる。
【００４３】
容器の使用時には、まず、櫛付きキャップ体１を容器体１７から取り外し、次に、中栓体３１を容器体１７から取り外し、別容器に収納された第二液を容器体１７に注入後、中栓体３１で口筒部１９を密閉し、容器体１７を振って二液を混合し、再び中栓体３１を取り外して、替わりに櫛付きキャップ１を口筒部１９に取り付け、容器体１７をスクイズして使用する（図６参照）。
【００４４】
なお、二液を撹拌混合するに際して、中栓体３１による口筒部１９の密閉を安定して維持するために、中栓体３１を組付けてから、さらにキャップ体１を締付け組付けするのがよい。
【００４５】
中栓体３１は、内筒壁３７の頂壁部３６に、使用者が明確に認識可能な二液の混合操作手順等の注意表示を施しているため、使用者の誤操作が防止され、容器の使用者が二液の混合操作を容易かつ間違いなく確実に達成することができる（図３参照）。
【００４６】
中栓体３１で口筒部１９を密閉して二液を混合するため、混合液が周囲に飛散せず、取り外した状態の櫛付きキャップ１が二液混合操作により汚染されることはない。
【００４７】
また、中栓体３１は、指掛け用突片３４を手掛かりとして、二液混合後に、簡単に口筒部１９から取り外すことができるため、指先等の汚染を効果的に防止することができる。
【００４８】
図７は、中栓体３１の第２実施例を示し、中栓体３１は、注意表示を施す頂壁部３６を有する内筒壁３７を、嵌入筒片３２の上端から起立設し、その分、内筒壁３７の高さを小さく済ませることができるようにし、これにより消費される合成樹脂材料量を少なくなり、また中栓体３１の構造が簡単となる。
【００４９】
図８は、本発明の櫛付き容器の第２実施例を示すもので、櫛付きキャップ体１を一体成形した例である。
【００５０】
櫛付きキャップ体１は、頂板８を水平状に形成し、櫛歯片１３をこの頂板８から真直ぐ上方に立設し、左右方向に直列配置することにより、注出口１６を一直線上に配列している。
【００５１】
また、本実施例では、頂板８の左右両端部分に枠櫛歯片１０を立設しているが、この枠櫛歯片１０の少なくとも一方には、櫛歯片１３の注出口１６に対向する位置に、左右方向に開口するピン孔１６ａを貫設し、櫛歯片１３の注出口１６を形成するための成形ピンを左右方向に進退可能とし、一体射出成形可能に構成している。
【００５２】
このように、櫛付きキャップ体１を一体成形することも可能であり、直線上に並列に起立設した櫛歯片１０を用いることも可能である。
【００５３】
なお、第２実施例を示す図８において、図示のように、頂壁部３６を嵌入筒片３２内から上方に、大きく突出させることにより、この突出した頂壁部３６に施された表示がきわめて見易いものとなり、これにより中栓体３１の取扱いの間違いの発生防止を、より高めることができる。
【００５４】
【発明の効果】
本発明は、上記した構成となっているので、以下に示す効果を奏する。
請求項１記載の発明にあっては、中栓体が容器体を密閉するため、容器体内の一液が外部に漏出することはなく、また中栓体の指掛け用突片を手掛かりとして、中栓体の着脱操作を、手指を汚したり、痛めたりすることなく、容易かつ確実に行うことができる。
【００５５】
櫛付きキャップ体を取り外すと、露出して見易い状態となった内筒壁の頂壁部上面に、二液混合操作手順等の注意を促す表示が施されているため、使用者が誤操作することなく、注意表示にしたがって、容易かつ確実な混合操作を行うことができる。
【００５６】
また、容器体の口筒部に中栓体を内嵌したまま、櫛付きキャップ体を螺合組付きできるため、容器体および櫛付きキャップを一体としてコンパクトに取り扱うことができる。
【００５７】
請求項２記載の発明にあっては、内筒壁の頂壁部の上面が、きわめて見易い姿勢となるので、その注意表示を使用者に確実に視認させることができ、これにより高い誤操作防止効果を発揮することができ、また中栓体の取り外しをきわめて簡単に達成することができ、中栓体の取扱いが容易となる。
【００５８】
請求項３記載の発明にあっては、櫛付きキャップ体をキャップ本体と櫛歯体の二つの部材から構成するので、櫛歯片に注出路を形成する等の複雑な形状を有した部材の成形を容易に達成することができ、また櫛歯体をキャップ本体に組付き固定した状態で、櫛歯片を斜めに傾斜した姿勢とすることもできる。
【００５９】
請求項４記載の発明にあっては、櫛歯片を斜めに傾斜した姿勢とすることにより、櫛の柄としての機能を果たす容器体を頭面に対して垂直な方向から倒した姿勢で掴持することができ、頭髪への塗布操作を楽に実施することができる。
【００６０】
請求項５記載の発明にあっては、中栓体の嵌入筒片の自己形状保持力を強めることができるので、その分、嵌入筒片の必要以上な弾性変形の発生を抑制することができ、これにより容器体の口筒部に対する中栓体の液密な組付きを強固に達成し、これにより容器体の密閉を安定して確実に達成維持することができる。
【図面の簡単な説明】
【図１】本願発明の櫛付き容器の第１実施例を示す、全体外観斜視図。
【図２】図１に示した実施例を一部縦断して示す、全体正面図。
【図３】図１に示した実施例の、中栓体の平面図
【図４】図１に示した実施例の、中栓体の一部縦断して示す縦断正面図。
【図５】図１に示した実施例の櫛付きキャップ体の、一部縦断した分解正面図。
【図６】図１に示した実施例の使用状態の、一部縦断した正面図
【図７】中栓体の他の例を示す、一部縦断した正面図。
【図８】本願発明の第２実施例を示す、一部縦断した全体正面図。
【図９】中栓を使った櫛付き容器の従来例を示す、要部縦断正面図。
【符号の説明】
１    ；  櫛付きキャップ体
２    ；  キャップ本体
２’    ；  キャップ本体
３    ；  組付き筒
３’    ；  組付き筒
４    ；  頂壁
４’    ；  頂壁
５    ；  シール筒片
５’    ；  シール筒片
６    ；  シール条
６’    ；  シール条
７    ；  起立筒
７’    ；  起立筒
８    ；  頂板
８’    ；  頂板
９    ；  組付け孔
９’    ；  組付け孔
１０  ；  枠櫛歯片
１０’  ；  枠櫛歯片
１１  ；  櫛歯体
１１’  ；  櫛歯体
１２  ；  ベース板
１２’  ；  ベース板
１３  ；  櫛歯片
１３’  ；  櫛歯片
１４  ；  嵌着筒片
１４’  ；  嵌着筒片
１５  ；  注出路
１５’  ；  注出路
１６  ；  注出口
１６’  ；  注出口
１６ａ；  ピン孔
１７  ；  容器体
１７’  ；  容器体
１８  ；  胴部
１８’  ；  胴部
１９  ；  口筒部
１９’  ；  口筒部
３１  ；  中栓体
３１’  ；  中栓体
３２  ；  嵌入筒片
３３  ；  係止段部
３４  ；  指掛け用突片
３４ａ；  起立壁
３５  ；  内鍔片
３６  ；  頂壁部
３７  ；  内筒壁
【図１】
2004196405.tif 000003
【図２】
2004196405.tif 000004
【図３】
2004196405.tif 000005
【図４】
2004196405.tif 000006
【図５】
2004196405.tif 000007
【図６】
2004196405.tif 000008
【図７】
2004196405.tif 000009
【図８】
2004196405.tif 000010
【図９】
2004196405.tif 000011